(57)【要約】【課題】ガラス製品の性能をユーザに体感させることができるガラス製品性能展示装置を提供する。【解決手段】ガラス製品性能展示装置１は、開口部を有する収納部２、及び収納部２にヒンジ２０により開閉自在に取り付けられ、収納部２と協働して密閉空間を画成する蓋部３から成るガラス製品収納ケース４と、収納部２内に設けられた２つのガラス製品７を並列して垂直状態に支持するガラス製品支持部５と、蓋部３の内側に軸支部８を介して折り畳み自在に取付けられている発熱部６と、蓋部３の内側に設けられたガラス温度表示部９とを備える。発熱部６は、蓋部３が開いているときに、支持されたガラス製品７の中央部と対向する位置において蓋部３に取付けられている。【選択図】      図１
2004283456.tif 000002
【特許請求の範囲】
【請求項１】
開口部を有する収納部、及び前記収納部に開閉自在に取り付けられ、前記収納部と協働して密閉空間を画成する蓋部から成るガラス製品収納ケースと、前記収納部内に設けられ、ガラス製品を支持するガラス製品支持部とを備えるガラス製品性能展示装置であって、前記蓋部の内側に設けられ、前記蓋部が開いているときに、前記支持されたガラス製品と対向する発熱部を備えることを特徴とするガラス製品性能展示装置。
【請求項２】
前記ガラス製品支持部は、２以上のガラス製品を並列して支持することを特徴とする請求項１記載のガラス製品性能展示装置。
【請求項３】
前記ガラス製品支持部は前記ガラス製品を垂直状態で支持することを特徴とする請求項１又は２記載のガラス製品性能展示装置。
【請求項４】
前記ガラス製品支持部は前記ガラス製品を傾斜状態で支持することを特徴とする請求項１又は２記載のガラス製品性能展示装置。
【請求項５】
前記発熱部は前記支持されたガラス製品の中央部に対向することを特徴とする請求項１乃至４のいずれか１項に記載のガラス製品性能展示装置。
【請求項６】
前記発熱部は前記蓋部に回転自在に取付けられていることを特徴とする請求項１乃至５のいずれか１項に記載のガラス製品性能展示装置。
【請求項７】
前記発熱部は前記蓋部に移動自在に取付けられていることを特徴とする請求項１乃至６のいずれか１項に記載のガラス製品性能展示装置。
【請求項８】
前記収納ケースは、前記ガラス製品の温度を表示するガラス温度表示部を備えることを特徴とする請求項１乃至７記載のいずれか１項にガラス製品性能展示装置。
【請求項９】
前記収納部は、前記ガラス製品を保管するガラス製品保管領域を備えることを特徴する請求項１乃至８のいずれか１項に記載のガラス製品性能展示装置。
【請求項１０】
前記収納部は、前記ガラス製品を固縛する固縛具を固定する固縛具固定部を備えることを特徴する請求項１乃至９記載のいずれか１項に記載のガラス製品性能展示装置。
【発明の詳細な説明】
【０００１】
【発明の属する技術分野】
本発明は、ガラス製品性能展示装置に関し、特に、ガラス製品の断熱性能、日射熱遮蔽性能等をユーザに伝える販売促進用ツールとしてのガラス製品性能展示装置に関する。
【０００２】
【従来の技術】
省エネ問題、環境問題、快適空間の確保への関心の高まりにより、断熱性能、、即ち保温熱量逸散防止性能や日射熱遮蔽性能等が向上した複層ガラス、真空ガラス、低輻射コーティングガラス等の普及が進んでいる（例えば、特許文献１）。これらのガラス製品は、性能がユーザに正しく理解されることで更に普及し、もって省エネ問題及び環境問題の解決、快適空間の確保が図られる。
【０００３】
【特許文献１】
特許第３２６３３０６号公報
【０００４】
【発明が解決しようとする課題】
しかしながら、複層ガラス、真空ガラス、低輻射コーティングガラス等の断熱性能、日射熱遮蔽性能等は視覚に訴えるものではなく、これらの性能等をユーザに正しく理解させることが困難であるという問題点があった。
【０００５】
本発明はこのような問題点に鑑みなされたものであって、ガラス製品の性能をユーザに体感させることができるガラス製品性能展示装置を提供することを目的とする。
【０００６】
【課題を解決するための手段】
上述の目的を達成するために、請求項１記載のガラス製品性能展示装置は、開口部を有する収納部、及び前記収納部に開閉自在に取り付けられ、前記収納部と協働して密閉空間を画成する蓋部から成るガラス製品収納ケースと、前記収納部内に設けられ、ガラス製品を支持するガラス製品支持部とを備えるガラス製品性能展示装置であって、前記蓋部の内側に設けられ、前記蓋部が開いているときに、前記支持されたガラス製品と対向する発熱部を備えることを特徴とする。
【０００７】
請求項１記載のガラス製品性能展示装置によれば、蓋部の内側に設けられた発熱部は、蓋部が開いているときに、支持されたガラス製品と対向するので、発熱部と対向するガラス面に熱を放射することができ、もって発熱部と対向するガラス面の裏面の温度を測定することや、発熱部と対向するガラス面の裏面にユーザの手や顔等を近づけさせることで、ガラス製品の性能をユーザに体感させることができる。
【０００８】
請求項２記載のガラス製品性能展示装置は、請求項１記載のガラス製品性能展示装置において、前記ガラス製品支持部は、２以上のガラス製品を並列して支持することを特徴とする。
【０００９】
請求項２記載のガラス製品性能展示装置によれば、ガラス製品支持部は２以上のガラス製品を並列して支持するので、２以上のガラス製品の性能を比較することができる。
【００１０】
請求項３記載のガラス製品性能展示装置は、請求項１又は２記載のガラス製品性能展示装置において、前記ガラス製品支持部は前記ガラス製品を垂直状態で支持することを特徴とする。
【００１１】
請求項３記載のガラス製品性能展示装置によれば、ガラス製品支持部はガラス製品を垂直状態に支持するので、蓋部が垂直状態であるとき、支持されたガラス製品に熱を効率よく放射することができる。
【００１２】
請求項４記載のガラス製品性能展示装置は、請求項１又は２記載のガラス製品性能展示装置において、前記ガラス製品支持部は前記ガラス製品を傾斜状態で支持することを特徴とする。
【００１３】
請求項４記載のガラス製品性能展示装置によれば、ガラス製品支持部はガラス製品を傾斜状態で支持するので、蓋部の傾斜状態に応じて支持されたガラス製品に熱を放射することができる。
【００１４】
請求項５記載のガラス製品性能展示装置は、請求項１乃至４のいずれか１項に記載のガラス製品性能展示装置において、前記発熱部は前記支持されたガラス製品の中央部に対向することを特徴とする。
【００１５】
請求項５記載のガラス製品性能展示装置によれば、発熱部は支持されたガラス製品の中央部に対向するので、支持されたガラス製品に効率良く熱を放射することができる。
【００１６】
請求項６記載のガラス製品性能展示装置は、請求項１乃至５のいずれか１項に記載のガラス製品性能展示装置において、前記発熱部は前記蓋部に回転自在に取付けられていることを特徴とする。
【００１７】
請求項６記載のガラス製品性能展示装置によれば、発熱部が蓋部に回転自在に取付けられているので、蓋部が閉じた状態であっても発熱部を収納ケース内に収納することができる。
【００１８】
請求項７記載のガラス製品性能展示装置は、請求項１乃至６のいずれか１項に記載のガラス製品性能展示装置において、前記発熱部は前記蓋部に移動自在に取付けられていることを特徴とする。
【００１９】
請求項７記載のガラス製品性能展示装置によれば、発熱部が蓋部に移動自在に取付けられているので、蓋部が閉じた状態であっても発熱部を収納ケース内に容易に収納することができる。
【００２０】
請求項８記載のガラス製品性能展示装置は、請求項１乃至７記載のいずれか１項にガラス製品性能展示装置において、前記収納ケースは、前記ガラス製品の温度を表示するガラス温度表示部を備えることを特徴とする。
【００２１】
請求項８記載のガラス製品展示装置によれば、収納ケースは、ガラス製品の温度を表示するガラス温度表示部を備えるので、ガラス温度の変化を容易に観察することができる。
【００２２】
請求項９記載のガラス製品性能展示装置は、請求項１乃至８のいずれか１項に記載のガラス製品性能展示装置において、前記収納部は、前記ガラス製品を保管するガラス製品保管領域を備えることを特徴する。
【００２３】
請求項９記載のガラス製品性能展示装置によれば、収納部はガラス製品を保管するガラス製品保管領域を備えるので、ガラス製品を収納ケース内に収納することができ、もって展示するガラス製品を持ち運びすることができる。
【００２４】
請求項１０記載のガラス製品性能展示装置は、請求項１乃至９記載のいずれか１項に記載のガラス製品性能展示装置において、前記収納部は前記ガラス製品を固縛する固縛具を固定する固縛具固定部を備えることを特徴する。
【００２５】
請求項１０記載のガラス製品性能展示装置によれば、収納部はガラス製品を固縛する固縛具を固定する固縛具固定部を備えるので、固縛具を使用することでガラス製品を固縛することができ、もって持ち運び移動時においてもガラス製品の移動を抑制してガラス製品の破損を防止することができる。
【００２６】
【発明の実施の形態】
以下に、本発明の実施の形態に係るガラス製品性能展示装置を図面に基づいて詳説する。
【００２７】
図１は本発明の実施の形態に係るガラス製品展示装置の斜視図であり、図２は図１のガラス製品展示装置の断面図であり、図３は図１のガラス製品展示装置の正面図である。
【００２８】
図１〜図３において、ガラス製品性能展示装置１は、開口部を有する収納部２、及び収納部２にヒンジ２０により開閉自在に取り付けられ、収納部２と協働して密閉空間を画成する蓋部３から成るガラス製品収納ケース４と、収納部２内に設けられた２つのガラス製品７を並列して垂直状態に支持するガラス製品支持部５と、蓋部３の内側に軸支部８を介して折り畳み自在に取付けられている発熱部６と、蓋部３の内側に設けられたガラス温度表示部９とを備える。
【００２９】
発熱部６は、蓋部３が開いているときに、支持されたガラス製品７の中央部と対向する位置において蓋部３に取付けられている。また、発熱部３は、蓋部３が閉じたときに、ガラス製品支持部５と干渉しないように折り畳まれる。
【００３０】
図４は、図１のガラス製品展示装置１のガラス製品７収納時の状態を示す図である。
【００３１】
図４において、収納部２はガラス製品７を保管するガラス製品保管領域Ａと、ガラス製品７を固縛する固縛具１０を固定する固縛具固定部１１とを備える。
【００３２】
ガラス製品保管領域Ａには積載されたガラス製品７が保管され、この積載されたガラス製品７を固縛する固縛具１０が固縛具固定部１１を介して収納部２に固定される。また、発熱部６は折り畳まれた状態で収納されている。
【００３３】
以下、ガラス製品性能展示装置１の使用方法について述べる。
【００３４】
図５は、図１におけるガラス製品７の断熱性能をユーザに体感させることを目的とする場合のガラス製品性能展示装置１の使用方法を示すフローチャートである。
【００３５】
図５において、まず、ガラス製品支持部５により支持されるガラス製品７として、断熱性能を有する高性能品及び比較対照としての通常性能品を選択し（ステップＳ５０１）、発熱部６と対向する各ガラス製品７のガラス面の裏面に、不図示のガラス表面温度測定用熱電対を固着させる（ステップＳ５０２）。
【００３６】
このガラス表面温度測定用熱電対によって測定された温度は、ガラス温度表示部９に表示される。
【００３７】
次に、支持すべく、ガラス製品支持部５に設けられた溝部に各ガラス製品７を並列して垂直状態で配置し（ステップＳ５０３）、不図示のスイッチをＯＮすることで通電して発熱部６を発熱させて発熱部６と対向するガラス面に所定時間熱を放射する（ステップＳ５０４）。
【００３８】
さらに、所定時間熱を放射した後、発熱部６と対向するガラス面（加熱面）にドライアイスから蒸発した二酸化炭素やコールドスプレ等を吹きつけて冷却し（ステップＳ５０５）、発熱部６と対向するガラス面の裏面（非加熱面）の温度変化をガラス温度表示部９により観察する（ステップＳ５０６）。
【００３９】
これにより、高性能品と通常性能品との断熱性能を比較することができ、もってガラス製品７の断熱性能をユーザに体感させることができる。
【００４０】
図６は、図１におけるガラス製品７の日射熱遮蔽性能をユーザに体感させることを目的とする場合のガラス製品性能展示装置１の使用方法を示すフローチャートである。
【００４１】
図６において、まず、ガラス製品支持部５により支持されるガラス製品７として、日射熱遮蔽性能を有する高性能品及び比較対照としての通常性能品を選択し（ステップＳ６０１）、ガラス製品支持部５に設けられた溝部に各ガラス製品７を並列して垂直状態で配置する（ステップＳ６０２）。
【００４２】
次に、不図示のスイッチをＯＮすることで通電して発熱部６を発熱させて発熱部６と対向するガラス面（加熱面）に熱を放射し（ステップＳ６０３）、熱を放射したままの状態で、発熱部６と対向するガラス面の裏面（非加熱面）にユーザの手や顔等を近づけさせる（ステップＳ６０４）。
【００４３】
これにより、高性能品と通常性能品との日射熱透過量の違いを比較することができ、もってガラス製品７の日射熱遮蔽性能をユーザに体感させることができる。
【００４４】
本実施の形態によれば、蓋部３の内側に取付けた発熱部６は、蓋部３が開いているときに、支持されたガラス製品７と対向するので、発熱部６と対向するガラス面に熱を放射することができ、もって発熱部６と対向するガラス面の裏面の温度を測定することや、発熱部６と対向するガラス面の裏面にユーザの手や顔等を近づけさせることによりガラス製品７の性能をユーザに体感させることができる。
【００４５】
本実施の形態によれば、収納部２はガラス製品７を保管するガラス製品保管領域Ａを備えるので、ガラス製品７を収納ケース４内に収納することができ、もって展示するガラス製品７を持ち運びすることができる販促ツールを実現することができる。
【００４６】
本実施の形態では、ガラス製品支持部１がガラス製品７を垂直状態で支持するが、これに限定されるものではなく、ガラス製品７を傾斜状態に支持してもよい。
【００４７】
本実施の形態では、発熱部６が蓋部３に軸支部８を介して折り畳み自在に取付けられているが、これに限定されるものではなく、発熱部６が蓋部３に移動自在に取付けられていてもよく、発熱部６が蓋部３の内側に回転自在且つ移動自在に取付けられていてもよい。
【００４８】
本実施の形態では、蓋部３が開いているときに、発熱部６が支持されたガラス製品７の中央部と対向する位置に設けられているが、これに限定されるものではなく、発熱部６による熱がガラス製品７に放射される位置に設けられていればよい。
【００４９】
本実施の形態では、ガラス製品支持部５には溝部が設けられているが、これに限定されるものではなく、ガラス製品を支持することができれば、他の構造でもよい。
【００５０】
本実施の形態では、ガラス製品保管領域Ａが蓋部３と反対側に設けられているが、これに限定されるものではなく、ガラス製品支持部５の設置位置を調整して蓋部３側に設けるようにしてもよい。
【００５１】
本実施の形態では、ガラス製品７の日射熱遮熱性能をユーザに体感させることを目的とする場合のガラス製品性能展示装置１の使用方法として、発熱部６によりガラス製品７に熱放射した後、冷却しているが、これに限定されるものではなく、発熱部６によるガラス製品７に熱放射を省略してもよい。
【００５２】
本実施の形態では、ガラス温度表示部９が蓋部３の内側に設けられているが、これに限定されるものではなく、例えば、蓋部３の外側や収納部２に設けられていてもよい。
【００５３】
本実施の形態における発熱部６は、例えば、電球、１本又は複数本の棒状ヒータ、渦巻き状ヒータ等、発熱可能なものであれば何であってもよい。
【００５４】
【発明の効果】
以上詳細に説明したように、上述の目的を達成するために、請求項１記載のガラス製品性能展示装置によれば、蓋部の内側に設けられた発熱部が、蓋部が開いているときに、支持されたガラス製品と対向するので、発熱部と対向するガラス面に熱を放射することができ、もって発熱部と対向するガラス面の裏面の温度を測定することや、発熱部と対向するガラス面の裏面にユーザの手や顔等を近づけさせることにより、ガラス製品の性能をユーザに体感させることができる。
【００５５】
請求項２記載のガラス製品性能展示装置によれば、ガラス製品支持部は２以上のガラス製品を並列して支持するので、２以上のガラス製品の性能を比較することができる。
【００５６】
請求項３記載のガラス製品性能展示装置によれば、ガラス製品支持部はガラス製品を垂直状態で支持するので、蓋部が垂直状態であるとき、支持されたガラス製品に熱を効率よく放射することができる。
【００５７】
請求項４記載のガラス製品性能展示装置によれば、ガラス製品支持部はガラス製品を傾斜状態で支持するので、蓋部の傾斜状態に応じて支持されたガラス製品に熱を放射することができる。
【００５８】
請求項５記載のガラス製品性能展示装置によれば、発熱部は支持されたガラス製品の中央部に対向するので、支持されたガラス製品に効率良く熱を放射することができる。
【００５９】
請求項６記載のガラス製品性能展示装置によれば、発熱部が蓋部に回転自在に取付けられているので、蓋部が閉じた状態であっても発熱部を収納ケース内に収納することができる。
【００６０】
請求項７記載のガラス製品性能展示装置によれば、発熱部が蓋部の内側に移動自在に取付けられているので、蓋部が閉じた状態であっても発熱部を収納ケース内に容易に収納することができる。
【００６１】
請求項８記載のガラス製品展示装置によれば、収納ケースは、ガラス製品の温度を表示するガラス温度表示部を備えるので、ガラス温度の変化を容易に観察することができる。
【００６２】
請求項９記載のガラス製品性能展示装置によれば、収納部はガラス製品を保管するガラス製品保管領域を備えるので、ガラス製品を収納ケース内に収納することができ、もって展示するガラス製品を持ち運びすることができる。
【００６３】
請求項１０記載のガラス製品性能展示装置によれば、収納部はガラス製品を固縛する固縛具を固定する固縛具固定部を備えるので、固縛具を使用することでガラス製品を固縛することができ、もって持ち運び移動時においてもガラス製品の移動を抑制してガラス製品の破損を防止することができる。
【図面の簡単な説明】
【図１】本発明の実施の形態に係るガラス製品展示装置の斜視図である。
【図２】図１のガラス製品展示装置１の断面図である。
【図３】図１のガラス製品展示装置１の正面図である。
【図４】図１における蓋部３が閉じたときのガラス製品展示装置１の状態を示す図である。
【図５】図１におけるガラス製品７の断熱性能をユーザに体感させることを目的とする場合のガラス製品性能展示装置１の使用方法を示すフローチャートである。
【図６】図１におけるガラス製品７の日射熱遮熱性能をユーザに体感させることを目的とする場合のガラス製品性能展示装置１の使用方法を示すフローチャートである。
【符号の説明】
１  ガラス製品性能展示装置
２  収納部
３  蓋部
４  ガラス製品収納ケース
５  ガラス製品支持部
６  発熱部
７  ガラス製品
８  軸支部
９  ガラス温度表示部
【図１】
2004283456.tif 000003
【図２】
2004283456.tif 000004
【図３】
2004283456.tif 000005
【図４】
2004283456.tif 000006
【図５】
2004283456.tif 000007
【図６】
2004283456.tif 000008